(57)【特許請求の範囲】
【請求項１】
記録面の両側部内側にグリッドローラをその一部周囲面を前記記録面に開口された孔を通して記録面上に露出させてそれぞれ回転可能に備えると共に、ピンチローラを前記グリッドローラに対向させてそれぞれ回転自在に備えて、前記記録面上に搭載したシートの両側部を前記グリッドローラとピンチローラとの間にそれぞれ挟持し、前記グリッドローラを正逆に回転させて、グリッドローラ周囲面に設けられた複数の微細な突起を前記シートの両側部にそれぞれ食い込ませながらシートを記録面上を往復移動させるプロッタにおいて、次の工程を含むことを特徴とするプロッタに用いるシートのセッティング方法。
ａ．前記シートの上端縁を前記孔を越えてその後方の記録面上に位置させて、シートを前記記録面上に搭載し、そのシートの中途部両側部を前記グリッドローラとピンチローラとの間にそれぞれ挟持する工程。
ｂ．前記グリッドローラを正逆に回転させて、ａ工程でグリッドローラとピンチローラとの間に挟持した前記シートを記録面上でその前後に小距離往復移動させながらそのシートを記録面前方に漸次移動させ、前記シートの中途部からその上端縁近くにかけての両側部にグリッドローラ周囲面の突起を押入、離脱させてなる複数の微細な窪みをそれぞれ形成する工程。
【請求項２】
記録面の両側部内側にグリッドローラをその一部周囲面を前記記録面に開口された孔を通して記録面上に露出させてそれぞれ回転可能に備えると共に、ピンチローラを前記グリッドローラに対向させてそれぞれ回転自在に備えて、前記記録面上に搭載したシートの両側部を前記グリッドローラとピンチローラとの間にそれぞれ挟持し、前記グリッドローラを正逆に回転させて、グリッドローラ周囲面に設けられた複数の微細な突起を前記シートの両側部にそれぞれ食い込ませながらシートを記録面上を往復移動させるプロッタにおいて、次の工程を含むことを特徴とするプロッタに用いるシートのセッティング方法。
ａ．前記シートの上端縁を前記孔の開口部後端縁より前方の孔内側に位置させて、シートを記録面上に搭載し、そのシートの上端縁近くの両側部を前記グリッドローラとピンチローラとの間にそれぞれ挟持する工程。
ｂ．前記グリッドローラを正逆に回転させて、ａ工程でグリッドローラとピンチローラとの間に挟持した前記シートを記録面上でその前後に小距離往復移動させながら記録面後方へのシートの往復移動距離を漸次増大させ、前記シートの上端縁近くからその中途部にかけての両側部にグリッドローラ周囲面の突起を押入、離脱させてなる複数の微細な窪みをそれぞれ形成する工程。
【発明の詳細な説明】
【０００１】
【産業上の利用分野】
本発明は、シートの上端縁近くがグリッドローラ周囲面に貼り付いて記録面に開口された孔内方に巻き込まれるのを防ぐためのプロッタに用いるシートのセッティング方法に関する。
【０００２】
【従来の技術】
従来より、図７に示したような、ペーパームービングタイプと呼ばれるプロッタがある。このプロッタは、シート１０を搭載するほぼ蒲鉾状をした横長の記録面２０を備えている。記録面２０の両側部内側には、図８に示したように、グリッドローラ３０を、その一部周囲面を記録面２０に開口された孔２２を通して記録面２０上に露出させて、Ｙ方向に回転可能にそれぞれ支持している。グリッドローラ３０の周囲面には、複数の微細な突起（図示せず）を所定密度で設けている。グリッドローラ３０上方には、ピンチローラ３２をグリッドローラ３０方向に昇降可能にグリッドローラ３０に対向させてＹ方向に回転自在に支持している。記録面２０上には、キャリッジ４０をＸ方向に移動自在に支持している。
【０００３】
このプロッタにおいては、図７に示したように、シート１０を記録面２０上に搭載して、シート１０の両側部をグリッドローラ３０とピンチローラ３２との間にそれぞれ挟持し、グリッドローラ３０をＹ方向に正逆に回転させることにより、シート１０を記録面２０上をＹ方向に往復移動させることができる。それと共に、記録面２０上をＹ方向に往復移動させるシート１０表面にキャリッジ４０に把持した筆記具５０先端を押接させて、キャリッジ４０を記録面２０上をＸ方向に移動させることにより、筆記具５０を用いてシート１０表面に文字、図形又は記号を描くことができる。また、記録面２０上をＹ方向に往復移動させるシート１０表面にキャリッジ４０に把持したカッター（図示せず）先端を押接させて、キャリッジ４０を記録面２０上をＸ方向に移動させることにより、カッターを用いてシート１０を文字、図形又は記号形状にカットできる。
【０００４】
【発明が解決しようとする課題】
しかしながら、上記プロッタにおいては、シート１０の上端縁近くの両側部をグリッドローラ３０とピンチローラ３２との間にそれぞれ挟持して、グリッドローラ３０をＹ方向に正回転させ、シート１０を記録面２０上をその後方に移動させた初期の段階において、図９に示したように、シート１０の上端縁近くの両側部がグリッドローラ３０周囲面に貼り付いて記録面２０に開口された孔２２内方に巻き込まれてしまうことがあった。そして、シート１０がジャム現象（シートが幾重にも折り重なる状態をいう）を起こして、シート１０を記録面２０上をＹ方向に往復移動させることが不可能となることがあった。この現象は、シート１０が薄い場合に頻繁に生じた。
【０００５】
その理由は、図１０に示したように、グリッドローラ３０周囲面に設けられた複数の微細な突起３０ａがシート１０表面に食い込んで、その突起３０ａがシート１０表面に押入、係止された状態となるからである。そして、その突起３０ａを介してグリッドローラ３０周囲面にシート１０が貼り付いた状態となるからである。
【０００６】
シート１０の上端縁近くの両側部が記録面の孔２２内方に巻き込まれるのを防ぐ第１の方法として、グリッドローラ３０の周囲径を小さく形成して、グリッドローラ３０の一部周囲面を露出させる記録面の孔２２の前後方向の開口幅を狭める方法がある。
【０００７】
この第１の方法によれば、記録面の孔２２内側に露出したグリッドローラ３０周囲面部分の前後方向の幅を狭めて、その孔２２内側に露出したグリッドローラ３０周囲面部分に縦幅狭く貼り付いたシート部分１０ａを孔２２より内方の記録面２０上を移動するシートの上端縁１２内側部分により上記グリッドローラ３０周囲面部分から容易かつ確実に剥離できる。そして、シート１０の上端縁近くの側部がグリッドローラ３０周囲面に貼り付いて記録面の孔２２内方に巻き込まれるのを防止できる。
【０００８】
また、シート１０の上端縁近くの両側部が記録面の孔２２内方に巻き込まれるのを防ぐ第２の方法として、グリッドローラ３０を短尺化する方法がある。
【０００９】
この第２の方法によれば、図１１に示したように、記録面の孔２２内側に露出したグリッドローラ３０周囲面の横幅を狭めて、孔２２内側に露出したグリッドローラ３０周囲面部分にピンチローラ３２の横幅分貼り付いたシート部分１０ａをその近くに位置する孔の開口部内側縁２２ｂより内方の記録面２０上を移動するシートの上端縁１２内側部分により上記グリッドローラ３０周囲面部分から容易かつ確実に剥離できる。そして、シート１０の上端縁近くの側部がグリッドローラ３０周囲面に貼り付いて孔２２内方に巻き込まれるのを防止できる。
【００１０】
ちなみに、図１２に示したように、記録面の孔２２内側に露出したグリッドローラ３０を長尺とした場合には、シート１０が孔２２内側に露出したグリッドローラ３０の外側周囲面部分にピンチローラ３２の横幅分貼り付いた際に、そのグリッドローラ３０周囲面部分に貼り付いたシート部分１０ａが孔の開口部内側縁２２ｂから遠く離れてしまうこととなって、そのシート部分１０ａを孔の開口部内側縁２２ｂより内方の記録面２０上を移動するシートの上端縁１２内側部分によりグリッドローラ３０周囲面部分から容易かつ確実に剥離できなくなる。
【００１１】
しかしながら、グリッドローラ３０の周囲径は、グリッドローラ３０の製造上極端に小さく形成できない。また、グリッドローラ３０を短尺化することは、記録面２０両側部のグリッドローラ３０とピンチローラ３２との間にその両側部をそれぞれ挟持するシート１０の横幅が制限されてしまうこととなる。その理由は、シート１０を記録面２０上にセッティングする際には、シート１０の幅の広狭に合わせて、ピンチローラ３２をグリッドローラ３０上をその左右に移動させて、シート１０の両側部をグリッドローラ３０とピンチローラ３２との間にそれぞれ挟持する必要があるからである。なお、グリッドローラを長尺に形成する代わりに、短尺のグリッドローラを３個以上並べて備えても良いが、そうした場合には、プロッタに備えるグリッドローラの使用個数が増加して、プロッタが高価なものとなってしまう。
【００１２】
さらに、シート１０の上端縁近くの側部が記録面の孔２２内方に巻き込まれるのを防ぐ第３の方法として、シート１０を記録面２０上にセッティングする際に、図１３に示したように、シートの上端縁１２を記録面の孔２２を越えてその後方の記録面２０上に位置させて、シート１０の両側部をグリッドローラ３０とピンチローラ３２との間にそれぞれ挟持する方法が考えられる。
【００１３】
ところで、ペーパームービングタイプのプロッタにおいては、一般に、図８に示したように、キャリッジ４０に把持した筆記具５０又はカッター（図示せず）の移動経路直下の記録面２０内側にシンクロローラ７０をその一部周囲面を記録面２０上に露出させてグリッドローラ３０と並べて回転可能に備えている。そして、シンクロローラ７０の周囲面速度がグリッドローラ３０の周囲面速度と同一速度となるようにシンクロローラ７０をグリッドローラ３０に同期させて回転させて、シンクロローラ７０周囲面に搭載されたシート１０部分をその他のシート１０部分と同期させて記録面２０上をＹ方向に強制移動させている。そして、筆記具５０又はカッター先端を押接させたシート１０部分がその直下の記録面２０部分から受ける摩擦力や筆記具５０又はカッター先端からそれを押接させたシート１０部分に加わる引っ掛かり力により、筆記具５０又はカッター先端を押接させたシート１０部分のＹ方向の移動速度に遅れが生ずるのを防いでいる。
【００１４】
従って、上記シンクロローラ７０とグリッドローラ３０との軸芯間の距離は、少なくとも設計上２５ｍｍ程度確保する必要があり、それ以下とすることは、シンクロローラ７０とグリッドローラ３０の周囲径を極端に小さく形成する必要があって、グリッドローラ３０の製造上不可能である。
【００１５】
他方、拡張（エキスパンド）モード時のシート１０上端の作図デッドスペースの下端位置に当たる、キャリッジ４０に把持した筆記具５０又はカッター先端を押接させるシート１０の作図エリアの上端位置は、シートの上端縁１２からその下方に２５ｍｍ入った位置が一般的標準となっている。
【００１６】
そのため、上記作図デッドスペースの下端位置に当たるシートの上端縁１２からその下方に２５ｍｍ入った位置直下に上記シンクロローラ７０の軸芯を位置させて、シート１０を記録面２０上にセッティングした状態においては、シンクロローラ７０の軸芯から２５ｍｍ以上離す必要のあるグリッドローラ３０の軸芯（図示せず）直上から記録面２０後方に延出するシート１０の延出幅が最大でも１〜５ｍｍの小幅となってしまい、上記第３の方法のように、シートの上端縁１２を孔２２を越えてその後方の記録面２０上に位置させることはできない。
【００１７】
そこで、本発明者らは、実験、研究を重ねた結果、シート１０の側部をグリッドローラ３０とピンチローラ３２との間を通過させて、シート１０の側部にグリッドローラ３０周囲面に設けられた複数の微細な突起３０ａを押入、離脱させてなる複数の窪みを形成すれば、その後、そのシート１０の側部をグリッドローラ３０とピンチローラ３２との間に挟持した状態でそれらのローラ３０、３２間を通過させた際に、シート１０の側部がグリッドローラ３０周囲面に貼り付くのを防止できることを発見した。そして、該発明に基づき、シート１０を記録面２０上にセッティングする際に、シート１０の両側部にグリッドローラ３０周囲面の複数の微細な突起３０ａを押入、離脱させてなる複数の窪みをそれぞれ形成して、シート１０の上端縁近くの側部がグリッドローラ３０周囲面に貼り付いて記録面の孔２２内方に巻き込まれるのを防ぐシートのセッティング方法を開発した。
【００１８】
即ち、本発明は、シートの上端縁近くの側部がグリッドローラ周囲面に貼り付いて記録面の孔内方に巻き込まれるのを防ぐことのできる、プロッタに用いるシートのセッティング方法（以下、セッティング方法という）を提供することを目的としている。
【００１９】
【課題を解決するための手段】
上記目的を達成するために、本発明の第１のセッティング方法は、記録面の両側部内側にグリッドローラをその一部周囲面を前記記録面に開口された孔を通して記録面上に露出させてそれぞれ回転可能に備えると共に、ピンチローラを前記グリッドローラに対向させてそれぞれ回転自在に備えて、前記記録面上に搭載したシートの両側部を前記グリッドローラとピンチローラとの間にそれぞれ挟持し、前記グリッドローラを正逆に回転させて、グリッドローラ周囲面に設けられた複数の微細な突起を前記シートの両側部にそれぞれ食い込ませながらシートを記録面上を往復移動させるプロッタにおいて、次の工程を含むことを特徴している。
ａ．前記シートの上端縁を前記孔を越えてその後方の記録面上に位置させて、シートを前記記録面上に搭載し、そのシートの中途部両側部を前記グリッドローラとピンチローラとの間にそれぞれ挟持する工程。
ｂ．前記グリッドローラを正逆に回転させて、ａ工程でグリッドローラとピンチローラとの間に挟持した前記シートを記録面上でその前後に小距離往復移動させながらそのシートを記録面前方に漸次移動させ、前記シートの中途部からその上端縁近くにかけての両側部にグリッドローラ周囲面の突起を押入、離脱させてなる複数の微細な窪みをそれぞれ形成する工程。
【００２０】
本発明の第２のセッティング方法は、記録面の両側部内側にグリッドローラをその一部周囲面を前記記録面に開口された孔を通して記録面上に露出させてそれぞれ回転可能に備えると共に、ピンチローラを前記グリッドローラに対向させてそれぞれ回転自在に備えて、前記記録面上に搭載したシートの両側部を前記グリッドローラとピンチローラとの間にそれぞれ挟持し、前記グリッドローラを正逆に回転させて、グリッドローラ周囲面に設けられた複数の微細な突起を前記シートの両側部にそれぞれ食い込ませながらシートを記録面上を往復移動させるプロッタにおいて、次の工程を含むことを特徴としている。
ａ．前記シートの上端縁を前記孔の開口部後端縁より前方の孔内側に位置させて、シートを記録面上に搭載し、そのシートの上端縁近くの両側部を前記グリッドローラとピンチローラとの間にそれぞれ挟持する工程。
ｂ．前記グリッドローラを正逆に回転させて、ａ工程でグリッドローラとピンチローラとの間に挟持した前記シートを記録面上でその前後に小距離往復移動させながら記録面後方へのシートの往復移動距離を漸次増大させ、前記シートの上端縁近くからその中途部にかけての両側部グリッドローラ周囲面の突起を押入、離脱させてなる複数の微細な窪みをそれぞれ形成する工程。
【００２１】
【作用】
本発明の第１のセッティング方法によりシートの中途部からその上端縁近くにかけての両側部に複数の微細な窪みをそれぞれ形成した場合には、シートの上端縁が孔後方の記録面上を孔方向に漸次移動することとなって、シートの上端縁が孔の開口部後端縁に引っ掛からずに、シートが記録面上をその前後に小距離往復移動しながら記録面前方に漸次移動する。そして、シートの中途部からその上端縁近くにかけての両側部にグリッドローラ周囲面の複数の微細な突起を押入、離脱させてなる複数の微細な窪みがそれぞれ連続して漸次形成される。
【００２２】
また、本発明の第１のセッティング方法により、シートを記録面上でその前後に小距離往復移動させながらシートを記録面前方に漸次移動させて、シートの側部に複数の窪みを漸次連続して形成した場合には、シートの側部に形成中の窪みにグリッドローラ周囲面の突起が繰り返し押入されたりその突起が窪みから繰り返し離脱したりして、窪みの内径が突起の周囲径より広がり、シートの側部にグリッドローラ周囲面の突起を押入したり離脱させたりし易い大径の窪みが形成される。
【００２３】
また、本発明の第１のセッティング方法により、シートを記録面上でその前後に小距離往復移動させながらシートを記録面前方に漸次移動させて、シートの側部に複数の窪みを漸次連続して形成した場合には、グリッドローラ周囲面の複数の突起がシートの側部に形成中の複数の窪みに繰り返し除々に深く進入して、シートの側部に所定深さの複数の窪みが漸次形成されることとなって、シートの側部にグリッドローラ周囲面の突起が一度に深く離脱不可能に食い込むのが防止される。そして、シートの側部がグリッドローラ周囲面に貼り付かずに、シートの側部に複数の窪みが漸次連続して円滑に形成される。
【００２４】
その結果、本発明の第１のセッティング方法によりシートをセッティングすれば、グリッドローラを正逆に回転させて、グリッドローラとピンチローラとの間に挟持したセッティング済のシートを記録面上をその前後に往復移動させた際に、グリッドローラ周囲面の突起が、シートのセッティングの際に形成されたシートの側部の内径の広い所定深さの窪みに円滑に押入されたりその窪みから容易に離脱したりする。そして、シートの上端縁近くの側部が突起を介してグリッドローラ周囲面に貼り付いて記録面の孔内方に巻き込まれるのが防止される。
【００２５】
本発明の第２のセッティング方法によりシートの上端縁近くからその中途部にかけての両側部に複数の微細な窪みをそれぞれ形成した場合には、シートの上端縁が記録面の孔の開口部後端縁付近をその前後に小距離往復移動しながら孔後方へのシートの往復移動距離が漸次増大することとなって、シートの上端縁が孔の開口部後端縁に引っ掛からずに、シートが孔の開口部後端縁を円滑かつ確実に乗り越えて記録面後方に漸次移動する。また、シートの上端縁近くの側部に窪みを形成中の初期の段階においては、シートの上端縁が記録面の孔の開口部後端縁に繰り返し突き当たることとなって、その際にシートが受ける衝撃力により、シートの上端縁近くの側部の窪みからグリッドローラ周囲面の突起が離脱して、グリッドローラ周囲面に貼り付いたシートの上端縁近くの側部がグリッドローラ周囲面から的確に剥離される。そして、シートの上端縁近くからその中途部にかけての両側部にグリッドローラ周囲面の突起を押入、離脱させてなる複数の窪みがそれぞれ漸次連続して形成される。
【００２６】
また、本発明の第２のセッティング方法により、シートを記録面上でその前後に小距離往復移動させながら記録面後方へのシートの往復移動距離を漸次増大させて、シートの側部に複数の窪みを漸次連続して形成した場合には、シートの側部に形成中の窪みにグリッドローラ周囲面の突起が繰り返し押入されたりその突起が窪みから繰り返し離脱したりして、窪みの内径が突起の周囲径より広がり、シートの側部にグリッドローラ周囲面の突起を押入したり離脱させたりし易い大径の窪みが形成される。
【００２７】
また、本発明の第２のセッティング方法により、シートを記録面上でその前後に小距離往復移動させながら記録面後方へのシートの往復移動距離を漸次増大させて、シートの側部に複数の窪みを漸次連続して形成した場合には、グリッドローラ周囲面の複数の突起がシートの側部に形成中の複数の窪みに繰り返し除々に深く進入して、シートの側部に所定深さの複数の窪みが漸次形成されることとなって、シートの側部にグリッドローラ周囲面の突起が一度に深く離脱不可能に食い込むのが防止される。そして、シートの側部がグリッドローラ周囲面に貼り付かずに、シートの側部に複数の窪みが漸次連続して円滑に形成される。
【００２８】
その結果、本発明の第２のセッティング方法によりシートをセッティングすれば、グリッドローラを正逆に回転させて、グリッドローラとピンチローラとの間に挟持したセッティング済のシートを記録面上をその前後に往復移動させた際に、グリッドローラ周囲面の突起が、シートのセッティングの際に形成されたシートの側部の内径の広い所定深さの窪みに円滑に押入されたりその窪みから容易に離脱したりする。そして、シートの上端縁近くの側部が突起を介してグリッドローラ周囲面に貼り付いて記録面の孔内方に巻き込まれるのが防止される。
【００２９】
【実施例】
次に、本発明の実施例を図面に従い説明する。
図１と図２は本発明の第１のセッティング方法の好適な実施例を示し、詳しくはその工程説明図を示している。以下に、このセッティング方法を説明する。
【００３０】
図１に示したように、シートの上端縁１２をグリッドローラ３０の一部周囲面を露出させた記録面の孔２２を越えてその後方の記録面２０上に位置させて、シート１０を記録面２０上に搭載する。そして、そのシートの中途部両側部１４、１６をグリッドローラ３０とピンチローラ３２との間にそれぞれ挟持する。
【００３１】
次いで、グリッドローラ３０を小角度ずつ正逆に回転させながら、グリッドローラ３０の逆方向の回転角度を漸次増大させる。そして、シート１０を記録面２０上でその前後に小距離往復移動させながらシート１０を記録面２０前方に漸次移動させる。そして、シートの中途部からその上端縁近くにかけての両側部１４、１６にグリッドローラ周囲面の突起３０ａを押入、離脱させてなる複数の窪み１８をそれぞれ漸次連続して形成する。
【００３２】
図１と図２に示した第１のセッティング方法は、以上の工程からなり、この第１のセッティング方法によりシート１０をセッティングした場合には、シートの上端縁１２が孔２２後方の記録面２０上から孔２２方向に漸次移動することとなって、シートの上端縁１２が孔の開口部後端縁２２ａに引っ掛からずに、シート１０が記録面２０上をその前後に小距離往復移動しながら記録面２０前方に漸次移動する。そして、図２に示したように、シート１０の中途部からその上端縁近くにかけての両側部１４、１６にグリッドローラ周囲面の突起３０ａを押入、離脱させてなる複数の窪み１８がそれぞれ漸次連続して形成される。
【００３３】
また、上記第１のセッティング方法により、シート１０を記録面２０上でその前後に小距離往復移動させながらシート１０を記録面２０前方に漸次移動させて、シートの側部１４、１６に複数の窪み１８を漸次連続して形成した場合には、シートの側部１４、１６に形成される窪み１８にグリッドローラ周囲面の突起３０ａが繰り返し押入されたりその窪み１８から突起３０ａが繰り返し離脱したりして、窪み１８の内径が突起３０ａの周囲径より広がり、シートの側部１４、１６にグリッドローラ周囲面の突起３０ａを押入したり離脱させたりし易い大径の窪み１８が形成される。
【００３４】
また、上記第１のセッティング方法により、シート１０を記録面２０上でその前後に小距離往復移動させながらシート１０を記録面２０前方に漸次移動させて、シートの側部１４、１６に複数の窪み１８を漸次連続して形成した場合には、グリッドローラ周囲面の複数の突起３０ａがシートの側部１４、１６に形成中の複数の窪み１８に繰り返し除々に深く進入して、シートの側部１４、１６に所定深さの複数の窪み１８が漸次形成されることとなって、シートの側部１４、１６にグリッドローラ周囲面の突起３０ａが一度に深く離脱不可能に食い込むのが防止される。そして、シートの側部１４、１６がグリッドローラ３０周囲面に貼り付かずに、シートの側部１４、１６に複数の窪み１８が漸次連続して円滑に形成される。
【００３５】
その結果、上記第１のセッティング方法によりシート１０をセッティングすれば、グリッドローラ３０を正逆に回転させて、グリッドローラ３０とピンチローラ３２との間に挟持したセッティング済のシート１０を記録面２０上をその前後に往復移動させた際に、グリッドローラ周囲面の突起３０ａが、シート１０のセッティングの際に形成されたシートの側部１４、１６の内径の広い所定深さの窪み１８に容易に押入されたりその窪み１８から容易に離脱したりする。そして、シートの上端縁近くの側部１４、１６が突起３０ａを介してグリッドローラ３０周囲面に貼り付いて記録面の孔２２内方に巻き込まれるのが防止される。
【００３６】
図３ないし図６は本発明の第２のセッティング方法の好適な実施例を示し、詳しくはその工程説明図を示している。以下に、このセッティング方法を説明する。
【００３７】
図３に示したように、シートの上端縁１２をグリッドローラ３０の一部周囲面を露出させた記録面の孔の開口部後端縁２２ａより前方の孔２２内側に位置させて、シート１０を記録面２０上に搭載する。そして、そのシート１０の上端縁近くの両側部１４、１６をグリッドローラ３０とピンチローラ３２との間にそれぞれ挟持する。
【００３８】
次いで、グリッドローラ３０を小角度ずつ正逆に回転させながらグリッドローラ３０の正方向の回転角度を漸次増大させてグリッドローラ３０の正逆の回転角度を漸次増大させる。そして、シート１０を記録面２０上でその前後に小距離往復移動させながらシート１０の記録面２０後方への往復移動距離を漸次増大させる。そして、シート１０の上端縁近くからその中途部にかけての両側部１４、１６にグリッドローラ周囲面の突起３０ａを押入、離脱させてなる複数の窪み１８をそれぞれ連続して形成する。
【００３９】
図３ないし図６に示した第２のセッティング方法は、以上の工程からなり、このセッティング方法によりシート１０をセッティングした場合には、シートの上端縁１２が孔の開口部後端縁２２ａ付近をその前後に小距離往復移動しながら孔２２後方へのシート１０の往復移動距離が漸次増大することとなって、シートの上端縁１２が孔の開口部後端縁２２ａに引っ掛からずに、シート１０が孔の開口部後端縁２２ａを円滑かつ確実に乗り越えて記録面２０後方に漸次移動する。また、シート１０の上端縁近くの側部１４、１６に窪み１８を形成中の初期の段階においては、シートの上端縁１２が記録面の孔の開口部後端縁２２ａに繰り返し突き当たることとなって、その際にシート１０が受ける衝撃力により、シート１０の上端縁近くの側部１４、１６の窪み１８からグリッドローラ周囲面の突起３０ａが離脱して、グリッドローラ３０周囲面に貼り付いたシート１０の上端縁近くの側部１４、１６がグリッドローラ３０周囲面から的確に剥離する。そして、シート１０の上端縁近くからその中途部にかけての両側部１４、１６にグリッドローラ周囲面の突起３０ａを押入、離脱させてなる複数の窪み１８がそれぞれ漸次連続して形成される。
【００４０】
また、上記第２のセッティング方法により、シート１０を記録面２０上でその前後に小距離往復移動させながら記録面２０後方へのシート１０の往復移動距離を漸次増大させて、シートの側部１４、１６に複数の窪み１８を漸次連続して形成した場合には、シートの側部１４、１６に形成中の窪み１８にグリッドローラ周囲面の突起３０ａが繰り返し押入されたりその窪み１８から突起３０ａが繰り返し離脱したりして、窪み１８の内径が突起３０ａの周囲径より広がり、シートの側部１４、１６にグリッドローラ周囲面の突起３０ａを押入したり離脱させたりし易い大径の窪み１８が形成される。
【００４１】
また、上記第２のセッティング方法により、シート１０を記録面２０上でその前後に小距離往復移動させながら記録面２０後方へのシート１０の往復移動距離を漸次増大させて、シートの側部１４、１６に複数の窪み１８を漸次連続して形成した場合には、グリッドローラ周囲面の複数の突起３０ａがシートの側部１４、１６に形成中の複数の窪み１８に繰り返し除々に深く進入して、シートの側部１４、１６に所定深さの複数の窪み１８が漸次形成されることとなって、シートの側部１４、１６にグリッドローラ周囲面の突起３０ａが一度に深く離脱不可能に食い込むのが防止される。そして、シートの側部１４、１６がグリッドローラ３０周囲面に貼り付かずに、シートの側部１４、１６に複数の窪み１８が漸次連続して円滑に形成される。
【００４２】
その結果、上記第２のセッティング方法によりシート１０をセッティングすれば、グリッドローラ３０を正逆に回転させて、グリッドローラ３０とピンチローラ３２との間に挟持したセッティング済のシート１０を記録面２０上をその前後に往復移動させた際に、グリッドローラ周囲面の突起３０ａが、シート１０のセッティングの際に形成されたシートの側部１４、１６の内径の広い所定深さの窪み１８に押入されて、その窪み１８から容易に離脱する。そして、シート１０の上端縁近くの側部１４、１６が突起３０ａを介してグリッドローラ３０周囲面に貼り付いて記録面の孔２２内方に巻き込まれるのが防止される。
【００４３】
なお、上述第２のセッティング方法においては、図３に示したように、記録面２０に開口された孔の開口部後端縁２２ａを孔２２内方に斜めに折曲させている。そして、シートの上端縁１２が孔の開口部後端縁２２ａに引っ掛かって孔２２内方に巻き込まれるのを防いでいるが、本発明の第２のセッティング方法は、孔の開口部後端縁２２ａを上記のように孔２２内方に折曲させずに記録面２０と同一平面上に位置させたプロッタにも利用可能であり、そのようなプロッタに本発明の第２のセッティング方法を用いた場合にも、シート１０の上端縁近くの両側部１４、１６が孔２２内方に巻き込まれるのを防止できる。
【００４４】
【発明の効果】
以上説明したように、本発明の第１、第２のセッティング方法により、プロッタに用いるシートのセッティングを行えば、グリッドローラとピンチローラとの間に挟持して記録面上をＹ方向に往復移動させるシートの特に薄いシートの上端縁近くの両側部がグリッドローラ周囲面に貼り付いて記録面に開口された孔内方に巻き込まれるのを確実に防止できる。
【図面の簡単な説明】
【図１】本発明の第１のセッティング方法の工程説明図である。
【図２】本発明の第１のセッティング方法の工程説明図である。
【図３】本発明の第２のセッティング方法の工程説明図である。
【図４】本発明の第２のセッティング方法の工程説明図である。
【図５】本発明の第２のセッティング方法の工程説明図である。
【図６】本発明の第２のセッティング方法の工程説明図である。
【図７】ペーパームービングタイプのプロッタの概略構成図である。
【図８】ペーパームービングタイプのプロッタのグリッドローラ付近の拡大構造説明図である。
【図９】シートの上端縁近くの側部が孔内方に巻き込まれた状態を示す説明図である。
【図１０】シートがグリッドローラ周囲面に貼り付いた状態を示す拡大説明図である。
【図１１】シートの上端縁近くの側部がグリッドローラ周囲面に貼り付いた状態を示す説明図である。
【図１２】シートの上端縁近くの側部がグリッドローラ周囲面に貼り付いた状態を示す説明図である。
【図１３】シートのセッティング方法を示す説明図である。
【符号の説明】
１０  シート
１２  シートの上端縁
１４、１６  シートの側部
１８  窪み
２０  記録面
２２  孔
２２ａ  孔の開口部後端縁
２２ｂ  孔の開口部内側縁
３０  グリッドローラ
３０ａ  突起
３２  ピンチローラ
４０  キャリッジ
５０  筆記具
７０  シンクロローラ
【図１】
0003625299.tif 000002
【図２】
0003625299.tif 000003
【図３】
0003625299.tif 000004
【図４】
0003625299.tif 000005
【図５】
0003625299.tif 000006
【図６】
0003625299.tif 000007
【図７】
0003625299.tif 000008
【図８】
0003625299.tif 000009
【図９】
0003625299.tif 000010
【図１０】
0003625299.tif 000011
【図１１】
0003625299.tif 000012
【図１２】
0003625299.tif 000013
【図１３】
0003625299.tif 000014